(57)【要約】【課題】  従来の横流ファンや多翼ファンの清掃は、市販ブラシなどの清掃用具を使い横流ファンや多翼ファンの羽根の間の塵埃を何度も掻き取らなければならず効率が悪い。これは、横流ファンや多翼ファンの羽根と羽根の間が狭く、羽根の曲面の内側に従来のブラシが届きにくいためである。【解決手段】  清掃具の柄２に複数の柔軟な清掃用ブラシ３を横流ファンや多翼ファンの羽根に沿う角度で設け、清掃用ブラシ３の先端に弧形状のたわし３ｃを形成した。加えて清掃具の柄２に清掃用ブラシ３の付け根から清掃具の柄２の後端までを空洞にし、真空掃除機の吸込み口に接続可能とした。これにより複数の清掃用ブラシ３は横流ファンや多翼ファンの羽根の間に効率よく挿し込めると共に羽根の曲面の内側へ届きやすく従来よりも塵埃を掻き落とすことができる。さらに真空掃除機の吸引力で微細な塵埃も除去される。【選択図】図１
2018071535.tif 000002
【特許請求の範囲】
【請求項１】
横流ファンや多翼ファンの清掃用具は、清掃具の柄と、清掃用ブラシから構成し、清掃具の柄の先端には、複数の清掃用ブラシが横流ファンや多翼ファンの羽根の角度に沿うように取り付けられたことを特徴とする、横流ファンや多翼ファンの清掃用具。
【請求項２】
前記清掃用ブラシは、柔軟な弧形状のたわし、または弧形状の植込みブラシまたはネジリブラシからなることを特徴とする、請求項１記載の横流ファンや多翼ファンの清掃用具。
【請求項３】
前記清掃用ブラシの柄の先端の清掃用ブラシの付け根から清掃用ブラシの柄の後端部までを空洞にし、真空掃除機の吸込み口に接続可能としたことを特徴とする、請求項１または請求項２記載の横流ファンや多翼ファンの清掃用具。
【発明の詳細な説明】
【技術分野】
【０００１】  本発明は、エアコンや換気扇等の送風ファンを清掃する用具の形状に関する。
【背景技術】
【０００２】  従来の横流ファンや多翼ファンの清掃には、一枚のヘラ状の清掃用具で付着した塵埃を掻き取るものや、ファンを取り外した上でブラシ等を用いて清掃するものがある。
【先行技術文献】
【特許文献】
【０００３】
【特許文献１】  登録実用新案登録第３１２０９０７号公報
【特許文献２】  特開平５−３９８００号公報
【発明の概要】
【発明が解決しようとする課題】
【０００５】  しかしながら、特許文献１では、横流ファンや多翼ファンの塵埃を清掃するヘラが一つしかないため、複数枚の羽根を掃除するには何度もヘラを横流ファンや多翼ファンの羽根に挿入しなければならず効率が悪い。さらに掃除部が金属のヘラだけであるために、横流ファンや多翼ファンの羽根と羽根の間の塵埃をほじくるように掻き取らなければならず非効率である。
特許文献２では、第一に、エアコンの横断流送風ファンを機器から取り外さないといけない不便さがある。第二に、複雑に構成された装置が必要であり、送風ファンの清掃方法としては現実的ではない。【０００６】  そこで本発明は、このような従来の構成が有していた問題を解決しようとするものであり、効率よく簡単な構造で清掃する事を目的とする。
【課題を解決するための手段】
【０００７】  第一の発明は、清掃具の柄に複数の柔軟な清掃用ブラシを、横流ファンや多翼ファンの羽根に沿う角度で設けたことである。
第二の発明は、清掃用ブラシとなる板の先端に、横流ファンや多翼ファンの羽根の曲面に合わせ密着するような弧形状のたわし、または弧形状の植込みブラシまたはネジリブラシを設けたことである。
第三の発明は、清掃具の柄に清掃用ブラシの付け根から清掃具の柄の後端までを空洞にし、真空掃除機の吸引力を利用した吸込口を設けたことである。
【発明の効果】
【０００８】  第一の発明によれば、複数の清掃用ブラシを横流ファンや多翼ファンの羽根の隙間へ同時に挿し込むことができ、従来よりも清掃範囲が広くなり清掃効率が上がった。
第二の発明により、清掃用ブラシが横流ファンや多翼ファンの羽根の曲面の内側へ密着するように届くことで、埃を十分に掻き落とす事ができ、さらに清掃効率が高まる。
第三の発明によって、従来は掻き落とした塵埃の後片付けを必要としたが、掻き落とした塵埃を即時に真空掃除機で吸引することにより、周囲を汚すことなくきれいに清掃ができ作業時間が短くなった。
【図面の簡単な説明】
【０００９】
【図１】本発明の形態を示す斜視図である。
【図２】本発明の清掃用ブラシの形態を示す斜視図である。
【図３】本発明の形態を示す透視図である。
【図４】本発明の作用を説明する断面図である。
【図５】本発明の使用状態を示す説明図である
【発明を実施するための形態】
【００１０】以下、本発明の実施の形態を図１〜図５を用いて説明する。
【実施例】
【００１１】  横流ファンや多翼ファンの清掃用具１は、持ちやすい柄を有する硬質で合成樹脂素材の清掃具の柄２と、先端に横流ファンや多翼ファンの羽根に沿う角度で構成した溝に挿した複数の清掃用ブラシ３と、弓状に曲げられた固定金具４とで構成される。【００１２】  上記清掃用ブラシ３は、図２（ａ）のように所定の幅を有する軟質で合成樹脂素材のブラシ板３ａと、先端に羽根の曲面に合うような弧形状のスポンジ３ｂと、外周部に清掃のため用いる化学繊維素材のたわし３ｃと、ブラシ固定穴３ｄで構成される。なおスポンジ３ｂと、たわし３ｃは図２（ｂ）のような弧形状の植込みブラシ３ｅまたは図２（ｃ）のようなネジリブラシ３ｆで構成してもよい。
また真空掃除機Ｓの吸引力を利用するため、図３のように空洞状の清掃具の柄２と、嵌め合い部２ａと、吸込口２ｂと、を形成する。なお清掃具の柄２とブラシ板３ａは、ブラシ固定穴３ｄを貫通する固定金具４を介して接合されている。これにより清掃用ブラシ３は簡単に交換できる。【００１３】  以上の横流ファンや多翼ファンの清掃用具１は図４の如く送風ファン１１を構成する夫々の羽根１２の隙間へ複数の柔軟な清掃用ブラシ３を同時に挿し込むことができ、同図の紙面に直角をなす方向に沿って往復動させ真空掃除機Ｓのスイッチをいれると、接する羽根１２の曲面の内側に付着した塵埃１３が清掃用ブラシ３と密着し掻き落とされると同時に、遊離した塵埃１３は直ちに吸込口２ｂを介して嵌め合い部２ａと吸引ホースＨに接続された真空掃除機Ｓに吸引されるため、環境を汚染することがないと共に、清掃用ブラシ３が汚染するのも抑制される。また、清掃用ブラシ３が汚染された場合にも速やかに交換ができる。加えて掻き落としの際、真空による吸引力が作用するので、従来のたんなるブラシによる掻き落としでは除去できない程度の微細な塵埃１３も有効に除去されるようになる。【００１４】  本発明の横流ファンや多翼ファンの清掃用具１は、図５のようなルームエアコンＲの狭い吹き出し口に差し込むことができ、送風ファン１１を取り外す事なく、吸引ホースＨに接続された真空掃除機Ｓの吸引力により従来のような塵埃を周囲にまき散らかすことなくきれいに清掃をすることができる。
【符号の説明】
【００１５】１    横流ファンや多翼ファンの清掃用具
２    清掃具の柄
２ａ  嵌め合い部
２ｂ  吸込口
３    清掃用ブラシ
３ａ  ブラシ板
３ｂ  スポンジ
３ｃ  たわし
３ｄ  ブラシ固定穴
３ｅ  植込みブラシ
３ｆ  ネジリブラシ
４    固定金具
１１  送風ファン
１２  羽根
１３  塵埃
Ｓ    真空掃除機
Ｈ    吸引ホース
Ｒ    ルームエアコン
【図１】
2018071535.tif 000003
【図２】
2018071535.tif 000004
【図３】
2018071535.tif 000005
【図４】
2018071535.tif 000006
【図５】
2018071535.tif 000007
【手続補正書】
【提出日】平成29年6月8日(2017.6.8)
【手続補正１】
【補正対象書類名】特許請求の範囲
【補正対象項目名】全文
【補正方法】変更
【補正の内容】
【特許請求の範囲】
【請求項１】
真空掃除機の吸引ホースの先端に取り付けられる横流ファンや多翼ファンの清掃用具であって、
前記清掃用具は、先端が開放された中空の清掃具の柄とその先端に着脱可能に取り付けられる複数段の清掃用ブラシとから構成されるとともに、
該清掃用ブラシは、所定の幅を有する軟質な合成樹脂製の板状のブラシ板と、該ブラシ板先端部に取り付けられる柔軟な弧形状のたわしまたは弧形状の植込みブラシまたはネジリブラシの内の１つから形成されるブラシ本体と、からなり、
複数段の前記ブラシ板同士は間隔を空けて相互に傾斜角度を有して前記清掃具の柄の先端に固定され、使用時には、前記複数段の清掃用ブラシが横流ファンや多翼ファンの羽根の角度に沿って羽根の隙間に挿し込むことができるように設けられていることを特徴とする横流ファンや多翼ファンの清掃用具。
【手続補正２】
【補正対象書類名】明細書
【補正対象項目名】０００７
【補正方法】変更
【補正の内容】
【０００７】本願発明は、真空掃除機の吸引ホースの先端に取り付けられる横流ファンや多翼ファンの清掃用具であって、前記清掃用具は、先端が開放された中空の清掃具の柄とその先端に着脱可能に取り付けられる複数段の清掃用ブラシとから構成されるとともに、該清掃用ブラシは所定の幅を有する軟質な合成樹脂製の板状のブラシ板と、該ブラシ板先端部に取り付けられる柔軟な弧形状のたわしまたは弧形状の植込みブラシまたはネジリブラシの内の１つから形成されるブラシ本体と、からなり、複数段の前記ブラシ板同士は間隔を空けて相互に傾斜角度を有して前記清掃具の柄の先端に固定され、使用時には、前記複数段の清掃用ブラシが横流ファンや多翼ファンの羽根の角度に沿って羽根の隙間に挿し込むことができるように設けられている、ことを特徴としている。
【手続補正３】
【補正対象書類名】明細書
【補正対象項目名】０００８
【補正方法】変更
【補正の内容】
【０００８】  本願発明によれば、複数の清掃用ブラシを横流ファンや多翼ファンの羽根の隙間へ同時に挿し込むことができ、従来よりも清掃範囲が広くなり清掃効率が上がった。
また、清掃用ブラシが横流ファンや多翼ファンの羽根の曲面の内側へ密着するように届くことで、埃を十分に掻き落とすことができ、さらに清掃効率が高まる。
さらに、掻き落とした塵埃を即時に真空掃除機で吸引することにより、周囲を汚すことなくきれいに清掃することができ作業時間が短くなった。